(57)【特許請求の範囲】
【請求項１】
画像を表示する表示手段と、
前記表示手段に表示される画像の画像送りを指示するための回転式の操作部材と、
前記操作部材の回転方向を記憶する記憶手段と、
前記表示手段に１枚の画像を表示させるシングル表示と、前記表示手段に複数の画像を表示させる複数画像表示とを切り替える制御手段とを有し、
前記制御手段は、前記シングル表示中に前記操作部材に対して早送りのための操作が行われた場合は前記複数画像表示に切り替え、前記複数画像表示中に前記操作部材に対して一枚送りのための操作が行われた場合は前記シングル表示に切り替え、
さらに、前記制御手段は、前記複数画像表示中に前記記憶手段に記憶されている回転方向で前記操作部材が操作された場合は、前記複数画像表示で前記操作部材の回転に応じた枚数の画像を送るまたは戻して表示させ、前記複数画像表示中に前記記憶手段に記憶されている回転方向と逆方向で前記操作部材が操作された場合は、前記シングル表示に切り替えて表示させることを特徴とする画像表示装置。
【請求項２】
画像ファイルの画像を表示する表示手段と、
前記表示手段に表示される画像の画像送りを指示するための回転式の操作部材と、
前記操作部材の回転方向を記憶する記憶手段と、
画像ファイルに含まれる本画像データに基づいて前記表示手段に画像を表示させるシングル表示と、画像ファイルに含まれる縮小画像データに基づいて前記表示手段に画像を表示させる複数画像表示とを切り替える制御手段とを有し、
前記制御手段は、前記シングル表示中に前記操作部材に対して早送りのための操作が行われた場合は前記複数画像表示に切り替え、前記複数画像表示中に前記操作部材に対して一枚送りのための操作が行われた場合は前記シングル表示に切り替え、
さらに、前記制御手段は、前記複数画像表示中に前記記憶手段に記憶されている回転方向で前記操作部材が操作された場合は、前記複数画像表示で前記操作部材の回転に応じた枚数の画像を送るまたは戻して表示させ、前記複数画像表示中に前記記憶手段に記憶されている回転方向と逆方向で前記操作部材が操作された場合は、前記シングル表示に切り替えて表示させることを特徴とする画像表示装置。
【請求項３】
さらに、前記操作部材の回転角度および回転速度に基づいて、前記操作部材への操作が、早送りのための操作であるか、一枚送りのための操作であるかを判定する判定手段を有することを特徴とする請求項１または２に記載の画像表示装置。
【請求項４】
前記制御手段は、一枚送りのための操作が行われた場合は、前記表示手段に次の画像または前の画像を表示させ、早送り操作が行われた場合は、前記操作部材への回転角度に応じた枚数の画像を送るまたは戻して前記表示手段に表示させることを特徴とする請求項１ないし３のいずれか１項に記載の画像表示装置。
【請求項５】
さらに、画像送りのための第２の操作部材と画像戻しのための第３の操作部材を有し、
前記制御手段は、前記複数画像表示中に前記第２の操作部材が操作された場合は、前記シングル表示に切り替えると共に画像を１枚送って表示させ、前記複数画像表示中に前記第３の操作部材が操作された場合は、前記シングル表示に切り替えると共に画像を１枚戻して表示さることを特徴とする請求項１ないし４のいずれか１項に記載の画像表示装置。
【請求項６】
前記表示手段に表示される画像の画像送りを指示するための回転式の操作部材への操作を検出する検出工程と、
前記表示手段に１枚の画像を表示させるシングル表示と、前記表示手段に複数の画像を表示させる複数画像表示とを切り替える制御工程とを有し、
前記制御工程では、前記シングル表示中に前記操作部材に対して早送りのための操作が行われたことを検出した場合は前記複数画像表示に切り替え、前記複数画像表示中に前記操作部材に対して一枚送りのための操作が行われたことを検出した場合は前記シングル表示に切り替え、
さらに、前記制御工程では、前記複数画像表示中に、前回と同じ回転方向で前記操作部材が操作された場合は、前記複数画像表示で前記操作部材の回転に応じた枚数の画像を送るまたは戻して表示させ、前記複数画像表示中に前回とは逆方向で前記操作部材が操作された場合は、前記シングル表示に切り替えて表示させることを特徴とする画像表示方法。
【請求項７】
表示手段に表示される画像の画像送りを指示するための回転式の操作部材への操作を検出する検出工程と、
画像ファイルに含まれる本画像データに基づいて前記表示手段に画像を表示させるシングル表示と、画像ファイルに含まれる縮小画像データに基づいて前記表示手段に画像を表示させる複数画像表示とを切り替える制御工程とを有し、
前記制御工程では、前記シングル表示中に前記操作部材に対して早送りのための操作が行われたことを検出した場合は前記複数画像表示に切り替え、前記複数画像表示中に前記操作部材に対して一枚送りのための操作が行われたことを検出した場合は前記シングル表示に切り替え、
さらに、前記制御工程では、前記複数画像表示中に、前回と同じ回転方向で前記操作部材が操作された場合は、前記複数画像表示で前記操作部材の回転に応じた枚数の画像を送るまたは戻して表示させ、前記複数画像表示中に前回とは逆方向で前記操作部材が操作された場合は、前記シングル表示に切り替えて表示させることを特徴とする画像表示方法。
【請求項８】
画像を表示する表示手段と、
前記表示手段に表示される画像の画像送りを指示するための回転式の操作部材と、
前記操作部材の回転方向を記憶する記憶手段と、
前記表示手段に１枚の画像を表示させるシングル表示と、前記表示手段に複数の画像を表示させる複数画像表示とを切り替える制御手段とを有し、
前記制御手段は、前記複数画像表示中に前記記憶手段に記憶されている前回の操作部材の回転方向と同じ回転方向で前記操作部材が操作された場合は、前記複数画像表示で前記操作部材の回転に応じた枚数の画像を送るまたは戻して表示させ、前記複数画像表示中に前記記憶手段に記憶されている前回の操作部材の回転方向とは逆方向で前記操作部材が操作された場合は、前記シングル表示に切り替えて表示させることを特徴とする画像表示装置。
【請求項９】
前記表示手段に表示される画像の画像送りを指示するための回転式の操作部材への操作を検出する検出工程と、
前記表示手段に１枚の画像を表示させるシングル表示と、前記表示手段に複数の画像を表示させる複数画像表示とを切り替える制御工程とを有し、
前記制御工程では、前記複数画像表示中に、前回と同じ回転方向で前記操作部材が操作された場合は、前記複数画像表示で前記操作部材の回転に応じた枚数の画像を送るまたは戻して表示させ、前記複数画像表示中に前回とは逆方向で前記操作部材が操作された場合は、前記シングル表示に切り替えて表示させることを特徴とする画像表示方法。
【発明の詳細な説明】
【技術分野】
【０００１】
本発明は、例えば、デジタルカメラやプリンタ等に適用される画像表示装置に係り、特に、回転式の操作部材を有する画像表示装置に関する。
【背景技術】
【０００２】
近年、記録媒体の大容量化が進み、デジタルカメラやプリンタ等の画像表示装置において、このような記録媒体に蓄積された大量の画像の中から希望する画像を検索するのは大変困難になってきている。また、１枚あたりの撮影画像のデータ量も大容量化しており、画像を検索する場合に、全ての画像について本画像データ表示しながら、希望する画像を探し出すことは容易でない。
【０００３】
そこで、画像送りボタンを長押しすることにより、早送り表示し、さらに早送りの際には、複数枚の画像に対応する縮小画像を表示させることによって素早く画像表示を切り替え、希望する画像を検索しやすくしている画像表示装置がある（特許文献１）。このような画像表示装置においては、画像送りボタンを長押しすることにより本画像表示から縮小画像表示に切り替わり、画像送りボタンを離すことに応じて、縮小画像表示から本画像表示に切り替わるようになっている。
【０００４】
また、ジョグダイヤルのような回転式の操作部材によって、画像送りの操作を行う画像表示装置もある（特許文献２）。このような画像表示装置においては、ジョグダイヤルを連続的に回転させることにより本画像データ表示から縮小画像データ表示に切り替え、画像を早送りすることが可能となっている。この場合は、縮小画像データ表示中に、希望する画像が選択されている状態で特定でジョグダイヤルとは異なる決定ボタンを押すことにより縮小画像に対応する本画像を表示することが可能である。
【特許文献１】特開平１１−００４３６７号公報
【特許文献２】特開２００６−１４０８６５号公報
【発明の開示】
【発明が解決しようとする課題】
【０００５】
しかしながら、画像送りボタンにより早送りを実行する場合は、縮小画像表示状態で画像送りボタンを離すと本画像表示に切り替わるため、ユーザが複数枚の縮小画像のまま閲覧していたい場合でも自動的に本画像データ表示に戻ってしまう。また、画像送りダイヤルとは異なる特定のボタンを押すことにより、本画像表示に切り替える場合は、ユーザは所望の画像を本画像表示させるまでジョグダイヤルと特定のボタンという２つの装置を使用しなければならなくなり操作が煩わしいという課題があった。
【０００６】
本発明は上記のような課題に鑑み、１つの操作部材により自由に縮小画像データ表示と本画像データ表示を切り替え、容易に希望の画像を閲覧することができる画像表示装置を提供することを目的とする。
【課題を解決するための手段】
【０００７】
上記の課題を解決するため、本発明の表示装置は、画像を表示する表示手段と、前記表示手段に表示される画像の画像送りを指示するための回転式の操作部材と、前記操作部材の回転方向を記憶する記憶手段と、前記表示手段に１枚の画像を表示させるシングル表示と、前記表示手段に複数の画像を表示させる複数画像表示とを切り替える制御手段とを有し、前記制御手段は、前記シングル表示中に前記操作部材に対して早送りのための操作が行われた場合は前記複数画像表示に切り替え、前記複数画像表示中に前記操作部材に対して一枚送りのための操作が行われた場合は前記シングル表示に切り替え、さらに、前記制御手段は、前記複数画像表示中に前記記憶手段に記憶されている回転方向で前記操作部材が操作された場合は、前記複数画像表示で前記操作部材の回転に応じた枚数の画像を送るまたは戻して表示させ、前記複数画像表示中に前記記憶手段に記憶されている回転方向と逆方向で前記操作部材が操作された場合は、前記シングル表示に切り替えて表示させることを特徴とする。
【０００８】
また、本発明の表示装置は、画像ファイルの画像を表示する表示手段と、前記表示手段に表示される画像の画像送りを指示するための回転式の操作部材と、前記操作部材の回転方向を記憶する記憶手段と、画像ファイルに含まれる本画像データに基づいて前記表示手段に画像を表示させるシングル表示と、画像ファイルに含まれる縮小画像データに基づいて前記表示手段に画像を表示させる複数画像表示とを切り替える制御手段とを有し、前記制御手段は、前記シングル表示中に前記操作部材に対して早送りのための操作が行われた場合は前記複数画像表示に切り替え、前記複数画像表示中に前記操作部材に対して一枚送りのための操作が行われた場合は前記シングル表示に切り替え、さらに、前記制御手段は、前記複数画像表示中に前記記憶手段に記憶されている回転方向で前記操作部材が操作された場合は、前記複数画像表示で前記操作部材の回転に応じた枚数の画像を送るまたは戻して表示させ、前記複数画像表示中に前記記憶手段に記憶されている回転方向と逆方向で前記操作部材が操作された場合は、前記シングル表示に切り替えて表示させることを特徴とする。
また、本発明の表示装置は、画像を表示する表示手段と、前記表示手段に表示される画像の画像送りを指示するための回転式の操作部材と、前記操作部材の回転方向を記憶する記憶手段と、前記表示手段に１枚の画像を表示させるシングル表示と、前記表示手段に複数の画像を表示させる複数画像表示とを切り替える制御手段とを有し、前記制御手段は、前記複数画像表示中に前記記憶手段に記憶されている前回の操作部材の回転方向と同じ回転方向で前記操作部材が操作された場合は、前記複数画像表示で前記操作部材の回転に応じた枚数の画像を送るまたは戻して表示させ、前記複数画像表示中に前記記憶手段に記憶されている前回の操作部材の回転方向とは逆方向で前記操作部材が操作された場合は、前記シングル表示に切り替えて表示させることを特徴とする。
【発明の効果】
【０００９】
上記の構成により、本発明は、複数画像表示からシングル表示への切換えが、画像送りまたは戻しのための１つの操作部材への操作により簡単に切り替えることが可能となる。
【発明を実施するための最良の形態】
【００１１】
［第１の実施形態］
以下に、図面を参照して本発明を実施するための最良の形態について詳細に説明する。
【００１２】
尚、以下に説明する実施の形態は、本発明の実現手段としての一例であり、本発明は以下の実施の形態に限定されるものではない。
【００１３】
図１は、本発明に係る実施形態のプリンタの構成を示すブロック図である。本実施形態のプリンタ１は、プリンタに装着されたメモリカード２、または、プリンタと接続されたホストコンピュータまたはデジタルカメラ３等から印刷対象の画像を取得して印刷することが可能である。
【００１４】
２はプリンタ１に装着されるメモリカードで、画像データが記録されている。メモリカード等の記録媒体をプリンタのカードスロットに装着して、メモリカードに記録されている画像データを取得して印刷することができる。
【００１５】
１１は、プリンタ１全体を制御し、各種データの演算や処理を行うＣＰＵである。１２は、ＣＰＵ１１が演算や処理を行う際に各種データを格納したり、ワークスペーストして用いるＲＡＭ、１３はＣＰＵ１１で実行されるプログラムや各種データを予め格納しておくＲＯＭである。また、ＣＰＵ１１はＲＯＭ１３から必要なプログラムを読み出し、読み出したプログラムに基づいて各部の制御及び演算処理を行う。
【００１６】
１４はユーザインターフェースモジュールで、電源ボタンや画像送りボタン、ジョグダイヤルなどの操作部等から構成される。これらの操作部を介してユーザから指示が入力されたことに応じて、その指示を受け付けて、ＣＰＵに伝える。ＣＰＵは、この操作内容、つまり指示の内容に応じて、各部の動作を制御する。
【００１７】
１５は、デジタルカメラやＰＣ等と有線若しくは無線の通信インターフェースを介して接続し、データの送受信を行うためのＩ／Ｏポート部である。
【００１８】
１６は、画像データを印刷するプリンタモジュールで、プリントヘッドや給排紙モータ、さらにこれらを制御するためのＩＣ等を備えている。
【００１９】
１７は表示モジュールで、ＬＣＤ表示部、ＬＣＤドライバ、等から構成される。表示モジュール１７は、ＬＣＤにメモリカード２に記録されている画像を表示させたり、起動待機画面、印刷設定変更画面を表示させたりする。また、表示モジュール１７は、ユーザが操作部を操作したことに応じて、ＬＣＤの表示画面を変更したりする表示制御を行う。１８は、メモリカード２にアクセスしてデータを取得するためのメモリカードインターフェースである。１９は、プリンタ１に電源を供給する電源モジュールである。
【００２０】
★プリンタの操作部材の説明
本実施形態のプリンタは、ユーザインターフェースとして、図２のような複数の操作部材および、ＬＣＤ表示部を有している。
【００２１】
２０１は電源ボタンで、プリンタ本体の電源をＯＮ、ＯＦＦするためのボタンでる。
【００２２】
２０２はＬＣＤ表示部で、メモリカード２似記録されている画像を表示したり、プリンタ本体の設定画面、印刷条件の設定画面を表示したりする。
【００２３】
２０３はＰＲＩＮＴボタンで、プリント開始の指示を与えるために用いられる。
【００２４】
２０４はＢＡＣＫボタンで、プリント処理中の処理停止処理の指定や、各種設定を取り消す際に用いられる。
【００２５】
２０５はＳＥＴボタンで、各設定の決定するために用いる。
【００２６】
２０７〜２１０は、方向キーで、２０７は上、２０８は下、２０９は左、２１０は右に対応している。設定画面における項目の選択のためのカーソル移動や、印刷枚数の設定、表示画像送り、戻しの指示等に用いられる。上方向ボタン２０７は各種設定の選択項目を上に移動する際に用いる。下方向ボタン２０８は各種設定の選択項目を下に移動する際に用いる。左方向ボタン２０９は表示・選択画像を一つ前の画像に移動する際に用いる。右方向ボタン２１０は表示・選択画像を１つ後ろの画像に移動する際に用いる。
【００２７】
２０６はジョグダイヤルで、回転式の操作部材であり、ジョグダイヤルを回転操作させることによりプリンタへ各種指示を入力することができる。ジョグダイヤルは、方向キーと同様に設定画面における項目の選択のためのカーソル移動や、表示画像送り、戻しの指示等に用いられる。このジョグダイヤルは、ＣＰＵ１１がジョグダイヤルの回転方向及び回転速度（一定期間に回転した回転角度）、回転距離、を検出し、検出した結果に応じて、動作を行う。例えば回転方向に応じて、カーソルの移動の方向を切換えたり、回転速度に応じてカーソルの移動速度を変えたりするような制御を行う。
【００２８】
プリンタ１は、電源ボタン２０１が押下により電源投入され起動処理が終わると、プリンタに装着されたメモリカード２に記録されている画像がメモリカードインターフェース１８により読み出され、表示モジュール１７によりＬＣＤ表示部２０２に表示される。起動処理が終わりＬＣＤ表示部２０２に画像が表示された後、ＰＲＩＮＴボタンを押すことにより、ＬＣＤ表示部２０２表示されている画像をすぐに印刷することができる。ＰＲＩＮＴボタンが押下されると、ＬＣＤ表示部２０２に表示されている画像がもう一度メモリカード２から読み出される。さらに、ＲＯＭに記録されている印刷条件設定を読み出し、読み出された画像データを印刷条件設定に合わせて印刷用のデータに変換する。変換された印刷データに基づいてプリントモジュール１６により画像の印刷が実行される。このようにして予め設定されている印刷条件に基づき、選択された画像の印刷が行われる。
【００２９】
ＬＣＤ表示部２０６に表示される画像は十字キーの左右ボタン（２０９，２１０）、または、ジョグダイヤル２０６を回転操作することで切り替えることができる。これらのボタンが操作されると、メモリカードインターフェース１８が次の画像（前の画像）を読み出し、読み出した画像を表示モジュール１７がＬＣＤ表示部２０２に表示する。
【００３０】
ユーザが印刷したい画像をＬＣＤに表示させ、その後ＰＲＩＮＴボタンを１回押すと、画像の印刷が開始される。
【００３１】
１つの画像を複数枚印刷したい場合は、所望の画像を表示した状態で上下ボタン（２０７、２０８）を操作することにより印刷枚数を設定することが可能である。印刷枚数が設定されていない状態でＰＲＩＮＴボタンが操作された場合は、表示されている画像が１枚印刷される。
【００３２】
本実施形態のプリンタでは、ＰＲＩＮＴボタンが押下されるとすぐに印刷動作が開始される。そのため、印刷レイアウトや画像補正、情報印刷等の印刷条件の設定は、印刷待機中にいつでも設定することが可能である。印刷待機中、つまり画像表示中に不図示のメニューボタンを押下すると印刷条件設定画面が表示され、この印刷条件設定画面により印刷条件の設定および変更を行うことができる。
【００３３】
次にプリンタ１における画像表示処理について図３〜図６を参照して説明する。
【００３４】
図３は、プリンタ１におけるジョグダイヤルによる画像送りのフローチャートである。図４は画像表示画面を説明するための図であり、図５、図６は、操作部への操作に応じた表示ある。
【００３５】
まず、画像表示画面について、図４を参照して説明する。本実施形態のプリンタは、１枚の画像をＬＣＤ２０２に表示するシングル表示モードと複数の画像をＬＣＤ２０２に表示する複数画像表示モードがあり、ユーザの操作でこれを切り替えることができる。
【００３６】
シングル表示モードでは、図４（ａ）のような表示形態で画像が表示され、画像４０１が１枚だけＬＣＤに表示される。また、画像４０１は、メモリカードから読み出されたＩｍｇ３の画像ファイルの本画像データに基づいて表示されている。
【００３７】
複数画像表示モードでは、図４（ｂ）のような表示形態で画像が表示され、画像４０２〜４０６の５つの画像がＬＣＤに表示される。また、画像４０２〜４０６は、本画像データではなくＩｍｇ１〜Ｉｍｇ５に対応する画像ファイル中に本画像と共に記録されている表示用の縮小画像データを利用して表示していため、長い処理時間を要しなても複数の画像を一度に表示することができる。
【００３８】
シングル表示画面において表示される画像や、複数画像表示画面でカーソル４０７により選択されている画像は、ジョグダイヤル２０６を回転操作するか、または、左右ボタン２０９、２１０を操作することにより、切り替えることができる。本実施形態においては、ジョグダイヤル２０６を右方向に回転させる操作、または、右ボタン２９０の押下により、Ｉｍｇ１→Ｉｍｇ２→‥‥→Ｉｍｇ８→Ｉｍｇ９の画像番号順で画像が表示（選択）されるようになっており、Ｉｍｇ９の次はＩｍｇ１が表示される。ジョグダイヤル２０６を左方向に回転させる操作、または、左ボタン２１０の押下が行われた場合は、逆の順に画像が表示（選択）されていく。
【００３９】
ジョブダイヤル２０６は一枚送り操作と、早送り操作が可能であり、ジョグダイヤル２０６に対する操作がどちらの操作であるかは、ジョグダイヤルの回転速度によって決まる。具体的には、ジョグダイヤルが３０度回転する度に回転操作信号がＣＰＵに入力されるようになっており、一定期間にこの回転操作信号が何回入力されたか、つまり、一定期間にどのくらいの角度回転されたかを検出している。一定期間内に回転操作信号が１回入力されたとき、つまり、ジョグダイヤルが特定の回転速度以下で操作された、または、３０度だけ回転されたことが検出された場合は、一枚送り操作であると判断する。１回より多い回転操作信号が入力されたとき、つまり、特定の回転速度以上で６０度以上回転操作された場合は、早送り操作であると判断している。また、回転方向も検出しており、回転方向により画像送りの方向を決定している。
【００４０】
また、本実施形態のプリンタにおいては、ジョグダイヤル２０６の回転操作のみで、このシングル表示と複数画像表示を切り替えることが可能である。この表示の切り替えについて、図５を参照して説明する。図５は、操作部材の操作による表示の移り変わりを説明するための図である。
【００４１】
まず、５０１のようにシングル表示で画像Ｉｍｇ１が表示されている場合に、右回転で一枚送り指示の操作を行った場合は、シングル表示のまま、次の画像Ｉｍｇ２が表示される（５０２）。５０１の状態から、ジョグダイヤル２０６を右に早送り回転させた場合は、複数画像表示に切り替わる（５０３）。５０３の複数画像表示で画像が表示されている間に、ジョグダイヤルを右回転で早送り操作した場合は、ジョグダイヤルの回転角度（回転操作信号の入力）に応じて、画面に表示する画像や、カーソルに選択される画像を次の画像に順に切り替えていく（５０４）。５０３の状態で、左回転で早送り操作した場合は、ジョグダイヤルの回転角度に応じて、画面に表示する画像や、カーソルに選択される画像を前の画像に順に切り替えていく（５０５）。
【００４２】
そして、５０３の複数画像表示中に、右回転で一枚送り操作された場合は、複数画像表示からシングル表示に自動的に切り替え、さらに、５０３においてカーソルで選択されていた画像（Ｉｍｇ３）の次の画像（Ｉｍｇ４）を表示させる（５０６）。また、５０３の複数画像表示中に、左回転で一枚送り操作された場合も、複数画像表示からシングル表示に自動的に切り替え、さらに、５０３においてカーソルで選択されていた画像（Ｉｍｇ３）の前の画像（Ｉｍｇ２）を表示させる（５０６）。
【００４３】
このように本実施形態のプリンタは、シングル表示中に、ジョグダイヤル２０６により早送り操作された場合は自動的に複数画像表示に切り替わる。早送りの場合は、次々画像が送られて画像が確認しにくいため、現在選択されている画像とその前後の画像の複数の画像を表示させることにより画像を確認しやすいようにしている。
【００４４】
また、本実施形態のプリンタは、複数画像表示からシングル表示への切り替えも、ジョグダイヤルの一枚送り操作により行うことができる。つまり、複数画像表示で画像の早送りを行っている途中に、画像を詳細確認したくなった場合も、そのままジョグダイヤルの１枚送り操作を行うだけでシングル表示に切り替わり、画像を詳細に確認できる。
【００４５】
また、シングル表示から複数画像表示への切り替え及び複数画像表示からシングル表示への切り替えの両方と、画像送り（戻し）の指示を、ジョグダイヤルという１つの操作部によりユーザが指示できるため操作性が向上する。
【００４６】
また、本実施形態のプリンタでは、複数画像表示画面において５枚の画像を表示しているが、表示形態はこれに限定さず、１つの表示画面に複数の画像を配置して表示する表示形態であればよい。例えば、複数表示画面において３×３で９画像を配置して表示させ、ジョグダイヤルへの画像送り（戻し）の操作に応じてカーソル枠を移動させてもよい。この場合、最後（または最初）の画像までカーソル枠が移動した状態で、画像送り（戻し）の操作がされた場合は９画像全てを次の（前の）画像に切換えて表示し、カーソル枠も画像送り（戻し）の操作に応じて移動させる。
【００４７】
次に、本実施形態のプリンタのジョグダイヤルによる画像表示の切り替えのフローを図３を用いて説明する。このフローは、ＣＰＵ１１がプログラムメモリから読み出したプログラムに基づいて、プリンタ１の各部を制御することにより実行される。
【００４８】
まず、最初にステップ３０１でシングル表示で１枚の画像が図４（ａ）のように本画像データに基づいてＬＣＤ２０２に表示される。シングル表示中に、ジョグダイヤルへの操作を検出し、ジョグダイヤルの回転速度、回転角度、回転方向等の情報を取得する（ステップ３０２）。ジョグダイヤルへの操作が検出された場合は、回転速度及び回転角度の情報から、一枚送り操作であるか早送り操作であるかを判断する（ステップ３０３）。この一枚送り操作であるか早送り操作であるかの判断は前に説明した通りである。
【００４９】
ステップ３０３で一枚送り操作であると判定された場合は、取得した回転方向の情報から回転方向が右回転であるか左回転であるかを判定する（ステップ３０４）。右回転の場合は、シングル表示のまま次の画像を表示させて１枚画像送りを実行し（ステップ３０５）、左回転の場合は、シングル表示のまま前の画像を表示させて１枚画像戻しを実行する（ステップ３０６）。その後、再びステップ３０２に戻り、ジョグダイヤルへの操作を検出し、操作に応じた動作を行う。
【００５０】
また、ステップ３０３で、早送り操作であると判定された場合は、シングル表示から図４（ｂ）のような複数画像表示に切り替える（ステップ３０７）。また、取得した回転方向の情報から回転方向が右回転であるか左回転であるかを判定すると共に、回転角を判定する（ステップ３０８）。右回転の場合は、複数画像表示で次の画像を順次表示させて画像送りを実行し、判定した回転角に応じた枚数の画像を送って表示する（ステップ３０９）。左回転の場合は、複数画像表示で前の画像を順次表示させて画像戻しを実行し、判定した回転角に応じた枚数の画像を戻して表示する（ステップ３１０）。
【００５１】
その後、ステップ３０２と同様にジョグダイヤルへの操作を検出し（ステップ３１１）、検出した操作が一枚送り操作であるか早送り操作であるかを判定する（ステップ３１２）。一枚送り操作であると判定された場合は、複数画像表示からシングル表示に切り替え（ステップ３１３）、ステップ３０４とステップ３０５またはステップ３０６の１枚画像送りの動作を実行する。ステップ３１２で機送り操作であると判定された場合は、ステップ３０８とステップ３０９またはステップ３１０の早送り（戻し）の動作を実行する。
【００５２】
このように、本実施形態のプリンタは、ジョグダイヤルの操作に応じて、シングル表示と複数画像表示を切り替える。そのため、ユーザは、ジョグダイヤルのへの操作だけで、画像送り（戻し）と、シングル表示画面と複数画像表示画面の切り替えとを指示することができ操作性が向上する。
【００５３】
［第２の実施形態］
図６は、第２の実施形態における操作部材の操作による表示の移り変わりを説明するための図である。
【００５４】
本実施形態のプリンタは、第１の実施形態のようなジョグダイヤルへの操作だけでなく、さらにＳＥＴボタン２０５、右ボタン２１０、左ボタン２０８を用いて、複数画像表示画面からシングル表示画面に切り替えることが可能である。
【００５５】
ジョグダイヤルの操作に対する表示の切り替え（５０１→５０２、および、５０１→５０３）は第１の実施形態と同じであるため、説明を省略する。また、５０３の状態からジョグダイヤルを操作した場合も、第１の実施形態と同様の処理を行うため、説明は省力する。
【００５６】
右ボタン２１０はシングル表示において操作されると、１枚画像送りが実行され、左ボタン２０９はシングル表示において操作されると、１枚画像戻しが実行される。
【００５７】
複数画像表示画面５０３において、ＳＥＴボタン２０５が操作されると、シングル表示画面（６０２）に切り替わり、複数画像表示画面（５０３）でカーソルが当たっていた（選択されていた）画像（Ｉｍｇ３）が表示される。
【００５８】
また、複数画像表示画面５０３において、右ボタン２１０が操作されると、シングル表示画面（６０１）に切り替わり、複数画像表示画面（５０３）でカーソルが当たっていた（選択されていた）画像（Ｉｍｇ３）の次の画像Ｉｍｇ４が表示される。
【００５９】
また、複数画像表示画面５０３において、左ボタン２０９が操作されると、シングル表示画面（６０３）に切り替わり、複数画像表示画面（５０３）でカーソルが当たっていた（選択されていた）画像（Ｉｍｇ３）の前の画像Ｉｍｇ２が表示される。
【００６０】
このように、ＳＥＴボタンと、画像送り、画像戻しを指示するための一対のボタン（右ボタン、左ボタン）を用いて、複数画像表示画面から、シングル画像表示画面に切り替えることができる。さらに、複数画像表示画面からシングル表示画面に切り替えるときに、操作されたボタンに応じて画像送り（戻し）も実行することが可能となるため、操作性が向上する。
【００６１】
本実施形態では、ＳＥＴボタンと左右ボタンを用いたが、このボタンに限定されず、画像送り、戻しのための１対のボタンと、１対のボタンとは異なるもう１つのボタンにより実施しても良い。このとき用いるボタンはお互い近くに配置され、さらにジョグダイヤルに近い位置に配置されていたほうが操作しやすい。
【００６２】
［第３の実施形態］
図７は、第３の実施形態における操作部材の操作による表示の移り変わりを説明するための図である。
【００６３】
基本的な動作は実施形態１と同様であるため、説明を省略する。本実施形態では、複数画像表示中にジョグダイヤルを一枚戻し操作したときのプリンタの動作が実施形態１と異なっている。また、本実施形態と前述の第２の実施形態を組み合わせて実行しても良い。
【００６４】
本実施形態のプリンタは、シングル表示中（５０１）にジョグダイヤルを早送り操作された場合は、複数画像表示に切り替える（５０３）と共に、このときの回転方向を記憶しておく。そしてその後、記憶しておいた複数画像表示に切り替わったときの回転方向と同じ方向にジョグダイヤルが回転されている場合、つまり、そのまま同じ方向に回転操作されている場合は、複数画像表示のまま、回転角度に応じて画像送りを行う（７０１）。記憶した回転方向と逆の方向に回転された場合、つまり、前に操作した回転方向と異なる方向に１枚送りで操作で回転された場合は、複数画像表示から、シングル表示に切り替える（７０２）。
【００６５】
このように本実施形態では、複数画像表示中にで画像送りを行う場合に、ジョグダイヤルが記憶しておいた回転方向と同じ方向でそうされている場合は、１枚送りか早送り操作に関わらずそのまま複数表示画面を維持する。そして、回転角度に応じた枚数の画像を送ったり戻したりして表示する。また、記憶しておいた回転方向と逆方向に１枚送りの操作がされた場合は、複数画像表示からシングル表示に切り替えて画像を表示する。第１の実施形態においては、ジョグダイヤルを回転操作する場合に一時的に回転速度が遅くなってしまうと自動的にシングル表示に切り替わってしまう。その後、回転速度を上げることにより複数画像表示に戻すことは可能であるが、何度も画面が切り替わることになる。そこで、本実施形態では、同じ方向にジョグダイヤルを回転操作している場合は、そのまま複数画像表示画面を維持している。また、途中でジョグダイヤルを違う方向に回転させた場合は、前の回転操作とは異なる操作をしたのは明らかであるため、一枚操作の場合はシングル表示に切り替え、早送り操作の場合は複数画像表示で画像送り（戻し）を行う。
【００６６】
このような制御を行うことにより、ジョグダイヤルを回転操作中に一時的に回転速度が落ちてしまった場合に、何度も画面が切り替わることなく画像送りを行うことができる。
【００６７】
［その他の実施形態］
以上、本発明をその好適な実施形態に基づいて詳述してきたが、本発明はこれら特定の実施形態に限られるものではない。上記の実施形態では、画像表示装置としてのプリンタについて説明してきたが、本発明はプリンタに限定されず、デジタルカメラやＰＤＡ、携帯電話等の画像表示装置に適応してもよい。この発明の要旨を逸脱しない範囲の様々な形態であれば本発明に含まれる。
【００６８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７０】
その場合、プログラムの機能を有していれば、オブジェクトコード、インタプリタにより実行されるプログラム、ＯＳに供給するスクリプトデータ等、プログラムの形態を問わない。
【００７１】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が考えられる。また、光／光磁気記憶媒体、不揮発性の半導体メモリでもよい。
【図面の簡単な説明】
【００７２】
【図１】本発明の実施形態に係るプリンタのブロック図である。
【図２】本発明の実施形態に係るプリンタのユーザインターフェース部の詳細図である。
【図３】本発明の実施形態に係るプリンタの画像表示切り替えを示すフローチャートである。
【図４】本発明の実施形態に係るプリンタのシングル表示と複数画像表示を示す図である。
【図５】本発明の実施形態に係るプリンタの操作部材の操作による表示の移り変わりを説明するための図である。
【図６】本発明の実施形態に係るプリンタの操作部材の操作による表示の移り変わりを説明するための図である。
【図７】本発明の実施形態に係るプリンタの操作部材の操作による表示の移り変わりを説明するための図である。
【符号の説明】
【００７３】
１  プリンタ
２  メモリカード
３  デジタルカメラ
１１  ＣＰＵ
１２  ＲＡＭ
１３  ＲＯＭ
１４  ユーザインターフェースモジュール
１５  Ｉ／Ｏポート部
１６  プリントモジュール
１７  表示モジュール
１８  メモリカードインターフェース
１９  電源モジュール
２０１  電源ボタン
２０２  ＬＣＤ表示部
２０３  ＰＲＩＮＴボタン
２０４  ＢＡＣＫボタン
２０５  ＳＥＴボタン
２０６  ジョグダイヤル
２０７  上ボタン
２０８  下ボタン
２０９  左ボタン
２１０  右ボタン
【図１】
0005025559.tif 000002
【図２】
0005025559.tif 000003
【図３】
0005025559.tif 000004
【図４】
0005025559.tif 000005
【図５】
0005025559.tif 000006
【図６】
0005025559.tif 000007
【図７】
0005025559.tif 000008